(57)【要約】【課題】リモコン装置において、製造コストを抑制すると共に、ユーザによるページ切替操作の操作性を向上させる。【解決手段】リモコンは、制御部は、ユーザにより同じカーソルキーが連続して２回押下されたと判断したとき（Ｓ１でＹＥＳ）、１回目のキーの押下がされる直前の１秒間以内に、同じキーが押下されていたか否かを判断する。そして、この判断の結果、押下されていなかった場合（Ｓ２でＹＥＳ）、制御部は、２回目のキーの押下が長押しされたものであるか否かを判断し、この判断の結果、長押しされたものである場合（Ｓ３でＹＥＳ）、情報機器に対して、画面上に表示するページを切替える旨の指示を行う（Ｓ４）。例えば、右カーソルキーを２回押下していた場合、画面上に次ページが表示される。【選択図】図３
2009098754.tif 000002
【特許請求の範囲】
【請求項１】
画面上に表示されるカーソルを操作するための複数のカーソルキーと、
装置各部を制御する制御手段とを備え、
画面上に画像等のコンテンツのリストをページ単位で表示する機器に対して各種の指示を行うリモコン装置において、
前記制御手段は、前記複数のカーソルキーのうちの任意のキーが連続して２回押下されたとき、２回目のキー押下が長押しされたものであるか否かを判断し、この判断の結果、長押しされたものである場合、前記機器に対して、画面上に表示するページを切替える旨の指示を行うことを特徴とするリモコン装置。
【請求項２】
前記制御手段は、
前記カーソルキーのうちの任意のキーが連続して２回押下されたとき、１回目のキー押下がされる直前の所定時間内に、同じキーが押下されていたか否かを判断し、この判断の結果、押下されていなかった場合、２回目のキー押下が長押しされたものであるか否かを判断し、この判断の結果、長押しされたものである場合、前記機器に対して、画面上に表示するページを切替える旨の指示を行うことを特徴とする請求項１に記載のリモコン装置。
【発明の詳細な説明】
【技術分野】
【０００１】
本発明は、リモコン装置に関し、特にリモコン装置の製造コストを抑制すると共に、操作性を向上させる技術に関する。
【背景技術】
【０００２】
従来から、画面上に、静止画コンテンツや動画コンテンツ等のコンテンツのリストをページ単位で表示させるハードディスクレコーダ等の情報機器（以下、情報機器という）に対して、各種の指示を行うことができるリモコン装置（以下、リモコンという）がある。この種のリモコンは、上下左右のカーソルキーと、ページ切替ボタンとを備え、ユーザはページ切替ボタンを操作することにより、画面上に表示されるページを切替えることができる。しかし、この種のリモコンは、ページ切替を指示するために、ページ切替ボタンを設ける必要があるため、製造コストを抑制できないという問題がある。
【０００３】
これに対して、特許文献１には、画面上に表示されるページを切替えたいとき、ユーザが上下カーソルキーを同時に押下して、ページスクロールモードで動作させた後、上カーソルキーを押下することによりページ切替えを行うことができるリモコンが開示されている。このリモコンでは、ページ切替ボタンを必要としないので製造コストを抑制することができる。しかし、上下カーソルキーを同時に押下しなければならないので、ユーザにとって操作性が悪いという問題がある。
【０００４】
また、特許文献２には、ポインティングデバイスを備え、ユーザが、ポインティングデバイスの押圧面を押圧しながら素早く下方に移動させることにより、画面上に表示するページを切替えることができるリモコンが開示されている。しかし、このリモコンでは、ページ切替を指示するために、ポインティングデバイスを設ける必要があるため、製造コストを抑制することができない。
【０００５】
ところで、ページ捲りの様子を視覚的に表示しながら画面上に表示するページを切替えることができるページ切替方法が開示されている（例えば、特許文献３参照）。しかし、この方法では、上記の問題を解決できない。
【特許文献１】特開２００６−６５８３８号公報
【特許文献２】特開２００３−２５６１０１号公報
【特許文献３】特開２００１−２６５４８１号公報
【発明の開示】
【発明が解決しようとする課題】
【０００６】
本発明は、上述した問題点を解決するためになされたものであり、製造コストを抑制すると共に、ユーザによるページ切替操作の操作性を向上させることが可能なリモコン装置を提供することを目的とする。
【課題を解決するための手段】
【０００７】
上記目的を達成するために請求項１の発明は、画面上に表示されるカーソルを操作するための複数のカーソルキーと、装置各部を制御する制御手段とを備え、画面上に画像等のコンテンツのリストをページ単位で表示する機器に対して各種の指示を行うリモコン装置において、前記制御手段は、前記複数のカーソルキーのうちの任意のキーが連続して２回押下されたとき、２回目のキー押下が長押しされたものであるか否かを判断し、この判断の結果、長押しされたものである場合、前記機器に対して、画面上に表示するページを切替える旨の指示を行うものである。
【０００８】
請求項２に記載の発明は、請求項１に記載のリモコン装置において、前記制御手段は、前記カーソルキーのうちの任意のキーが連続して２回押下されたとき、１回目のキー押下がされる直前の所定時間内に、同じキーが押下されていたか否かを判断し、この判断の結果、押下されていなかった場合、２回目のキー押下が長押しされたものであるか否かを判断し、この判断の結果、長押しされたものである場合、前記機器に対して、画面上に表示するページを切替える旨の指示を行うものである。
【発明の効果】
【０００９】
請求項１の発明によれば、制御手段は、任意のキーが連続して２回押下され、かつ、２回目のキー押下が長押しされたものである場合、機器に対して、画面上に表示するページを切替える旨の指示を行う。このように、同一キーを連続して２回押下することによりページ切替の指示を行うようにしたので、特許文献１の発明と比べて、操作性が向上する。また、ページ切替を指示するために、ページ切替ボタン等を設ける必要がないので、製造コストを抑制することができる。
【００１０】
請求項２の発明によれば、制御手段は、１回目のキー押下がされる直前の所定時間内に、同じキーが押下されていたか否かを判断し、この判断の結果、押下されていなかった場合、２回目のキー押下が長押しされたものであるか否かを判断する。そのため、複数回連続して同じキーを押下することにより、画面上のカーソルを移動させる等の操作を行う場合であっても、ページ切替の処理が行われることがないので、誤操作を防止することができ、ユーザにとって操作性が向上する。
【発明を実施するための最良の形態】
【００１１】
以下、本発明の一実施形態に係るリモコン装置（以下、リモコンという）について、図１及び図２を参照して説明する。図１は、リモコン１の上面を示し、図２は、リモコン１の内部構成を示す。リモコン１は、例えば、ハードディスクレコーダ等の情報機器（以下、情報機器という）に対して、各種操作の指示を行うことができるものである。情報機器は、ディスプレイ等の画面６（図４、図５参照）上に、静止画コンテンツや、動画コンテンツや、コンテンツのリストを表示することができる。情報機器は、コンテンツのリストをページ単位で画面６上に表示することができる。
【００１２】
リモコン１は、ユーザによって操作される各種ボタンを有する操作部３と、ユーザにより操作部３を用いて与えられた指示に基づく赤外線信号を情報機器に送信する赤外線信号送信部２と、リモコン１の各部を制御するための制御部（制御手段）４と、制御部４用の制御プログラムや赤外線信号のコード等のデータが記憶されたメモリ５とを備える。
【００１３】
操作部３は、「０」〜「９」までの各数字キーに対応するテンキー３１ａ〜３１ｊと、各種の入力操作の決定を指示するための決定キー３２と、動画コンテンツ等の早送りを指示するための早送りボタン３３と、動画コンテンツ等の巻戻しを指示するための巻戻しボタン３４とを有する。また、操作部３は、動画コンテンツ等の停止を指示するための停止ボタン３５と、動画コンテンツ等の再生を指示するための再生ボタン３６と、テレビ等の画面６上に表示されるカーソルの上下左右方向への移動を指示するための上下左右のカーソルキー３７ａ〜３７ｄとをさらに有する。
【００１４】
次に、リモコン１におけるページ切替の指示の処理について、図３に示すフローチャートを参照して説明する。まず、制御部４は、ユーザによりカーソルキー３７ａ〜３７ｄのうちの同じカーソルキーが連続して２回押下されたと判断したとき（Ｓ１でＹＥＳ）、１回目のキーの押下がされる直前の１秒間以内に、同じキーが押下されていたか否かを判断する。
【００１５】
そして、この判断の結果、押下されていない場合（Ｓ２でＹＥＳ）、制御部４は、２回目のキーの押下が長押しされたものであるか否かを判断し、この判断の結果、長押しされたものであるとき（Ｓ３でＹＥＳ）、情報機器に対して、画面上に表示するページを切替える旨の指示を行う（Ｓ４）。例えば、右カーソルキー３７ｄが２回押下され、かつ、２回目が長押しされていた場合、画面６上に次ページが表示される。逆に左カーソルキー３７ｃが２回押下され、かつ、２回目が長押しされていた場合、画面６上に前ページが表示される。なお、次ページを表示する指示、及び前ページを表示する指示は、上下左右のカーソルキー３７ａ〜３７ｄのうちの任意のカーソルキーを用いて行われてもよい。例えば、左右のカーソルキー３７ｃ、３７ｄの代わりに上下のカーソルキー３７ａ、３７ｂを用いて、次ページを表示する指示を行ってもよい。また、上記Ｓ２の処理では、１回目の押下から１秒以内に同じキーの押下があったか否かの判断を行ったが、これに限られず、任意の時間内に同じキーの押下があったか否かを判断してもよい。
【００１６】
次に、上記ページ切替処理により画面６上に表示されるページについて、図４及び図５を参照して説明する。画面６上には、２００個のコンテンツのリストがページ単位で表示されているものとする。１ページは１２個のコンテンツのリストから構成され、図４に示すように、画面６上には、コンテンツ１〜１２が表示されている。カーソルはコンテンツ７に位置し、カーソルが位置するコンテンツと総コンテンツ数とを示すエリア６１には、「７／２００」と表示されている。
【００１７】
そして、右カーソルキー３７ｄを２回連続で押下すると共に、２回目のカーソルキーを長押しして、上記図３に示したページ切替の指示を行うと、図５に示すように、画面６上に次ページのコンテンツのリストが表示される。このとき、画面６上には、コンテンツ１３〜２４が表示され、カーソルは現在表示されているコンテンツのリストの最初のコンテンツ１３に位置し、エリア６１には、「１３／２００」と表示される。
【００１８】
上記のように、本実施形態に係るリモコン１によれば、制御部４は、カーソルキー３７ａ〜３７ｄのうちの任意のキーが連続して２回押下され、かつ、２回目のキー押下が長押しされたものである場合、情報機器に対して、画面６上に表示するページを切替える旨の指示を行う。このように、同一キーを連続して２回押下することによりページ切替の指示を行うようにしたことによって、特許文献１の発明と比べて操作性が向上する。また、ページ切替を指示するために、ページ切替ボタン等を設ける必要がないので、製造コストを抑制することができる。
【００１９】
また、制御部４は、１回目のキー押下がされる直前の所定時間内に、同じキーが押下されていたか否かを判断し、この判断の結果、押下されていなかった場合、２回目のキー押下が長押しされたものであるか否かを判断する。そのため、複数回連続して同じキーを押下することにより、画面上のカーソルを移動させる等の操作を行う場合であっても、ページ切替の処理が行われることがないので、誤操作を防止することができ、ユーザにとって操作性が向上する。
【００２０】
なお、本発明は、上記実施形態の構成に限られず、発明の趣旨を変更しない範囲で種々の変形が可能である。例えば、上記実施形態では、任意のカーソルキーが２回連続して押下されたとき、リモコン１の制御部４がページ切替を指示するものか否かの処理を行ったが、これに限らず、情報機器がページ切替処理を指示するものか否かの判断を行うものであってもよい。
【図面の簡単な説明】
【００２１】
【図１】本発明の一実施形態に係るリモコンの上面を示す図。
【図２】上記リモコンの内部構成を示すブロック図。
【図３】上記リモコンのページ切替え指示の処理の手順を示すフローチャート。
【図４】上記リモコンのページ切替え指示による画面表示の説明図。
【図５】上記リモコンのページ切替え指示による画面表示の説明図。
【符号の説明】
【００２２】
１  リモコン（リモコン装置）
４  制御部（制御手段）
６  画面
３７ａ〜３７ｄ  カーソルキー
【図１】
2009098754.tif 000003
【図２】
2009098754.tif 000004
【図３】
2009098754.tif 000005
【図４】
2009098754.tif 000006
【図５】
2009098754.tif 000007